(57)【要約】【課題】従来のバンドにはバックルが付いており、バックルにおける係合のためにバンドの特定部分のみが酷使され、寿命が短くされていた。また、バックルと細くて薄い帯状のもので連結されているバンド端部保持輪が紛失すると、バンドの端部がヒラヒラ動いて鬱陶しいということがあった。【解決手段】バンド本体１の表側には、バンドを締めた場合に下側となる端部１Ｂの近傍に第１の面ファスナー４，５を設け、上側端部１Ａには蛇の頭を連想させる蛇頭部３２を設けて蛇印のバンドとする。バンド本体１の裏側には、バンドを締めた場合に上側となる端部１Ａの近傍に前記第１の面ファスナーと係合する第２の面ファスナー６，７が設ける。移動可能な滑りカバー３０をバンド本体１に被せ、履いたズボンのバンド通しの直下に位置せしめる。バンドを締めるには、第１の面ファスナーの上に第２の面ファスナーを押圧係合して締める。【選択図】図１
0003138857.tif 000002
【実用新案登録請求の範囲】
【請求項１】
帯状のバンド本体の表側においては、バンドを締めた場合に下側となる端部の近傍に第１の面ファスナーが設けられ、他方の端部である上側端部には蛇の目部を具え蛇の頭を連想させるよう構成された蛇頭部が設けられ、
バンド本体の裏側においては、バンドを締めた場合に上側となる端部の近傍に前記第１の面ファスナーと係合する第２の面ファスナーが設けられ、
平坦な面がバンド外側を向くようバンド本体に被せられ、任意の位置に移動可能な滑りカバーが設けられ
た構成とされ、
バンドを締める際には、該滑りカバーをズボンのバンド通しの直下に位置せしめた状態にしておいて、前記上側端部を該バンド通しを通過させ、前記第１の面ファスナーの上に前記第２の面ファスナーを押圧係合して締める
ことを特徴とするバンド
【請求項２】
帯状のバンド本体の表側の部分であって、バンドを締めたときに身体の正面となる部分付近をはじめとする任意の部分に、更に第３の面ファスナーを設けた構成とし、
裏面に該第３の面ファスナーと係合する面ファスナーが固着された時計や歩数計の実用品あるいは鶴や亀を象ったものを初めとする純粋なアクセサリー体を該第３の面ファスナーに着脱自在に取付可能とした
ことを特徴とする請求項１記載のバンド。
【考案の詳細な説明】
【技術分野】
【０００１】
本考案は、ズボン等に使用するバンドに関するものである。
【背景技術】
【０００２】
図４は、従来のバンドを示す図である。図４において、１はバンド本体、１Ａは上側端部、１Ｂは下側端部、２はバックル、３はバンド端部保持輪、２０はズボン、２１はバンド通しである。図４（１）はバンドを正面から見た図、図４（２）はバンドを上から見た図、図４（３）はズボンに使用した時の図である。
バンドは、言うまでもなく細い帯状をしており、端部は２つある。ズボン等に使用する際、バンドの端部は重ねられる形になるわけであるが、その時下側になる方の端部が下側端部１Ｂであり、上側になる方の端部が上側端部１Ａである。
【０００３】
図４（２）に示すように、バンド本体１の下側端部１Ｂはバックル２に固着される。その下側端部１Ｂの近くには、予めバンド端部保持輪３が設けられている。バンド端部保持輪３は、バックル２と細くて薄い帯状のもので連結されており、バックル２からあまり遠く離れないようにされている。
他方の端部である上側端部１Ａは、バックル２に挿通ないしは係合された後、バンド端部保持輪３に挿通される。バンド端部保持輪３への挿通により、上側端部１Ａはバックル２を出た後ヒラヒラせず、その下側になっているバンド本体１に沿った位置を保持するようにされる。
このようなバンドをズボンに使用する時には、図４（３）に示すように、ズボン２０に予め設けられているバンド通し２１に挿通して用いられる。
【特許文献１】特開平１１−２００１１４号公報
【考案の開示】
【考案が解決しようとする課題】
【０００４】
（問題点）
前記した従来のバンドには、次のような問題点があった。
第１の問題点は、バンド端部保持輪３が無くなると、上側端部１Ａをバンド本体１に沿った位置に保持することが難しく、ヒラヒラ動いて鬱陶しいという点である。
第２の問題点は、バックル２の存在によりバンド本体１の特定の一部分のみが酷使され、バンドの寿命が短くなるという点である。
【０００５】
（問題点の説明）
まず第１の問題点について説明する。バンド端部保持輪３をバックル２と連結しているのは、細くて薄い帯状のものであるので、いつの間にか切れてしまい、バンド端部保持輪３が無くなってしまうことがしばしばある。その場合、バックル２を出た後の上側端部１Ａがヒラヒラして、やたらに腕に触れたりして始末に終えなくなる。
ただ、バンド通し２１が設けられているズボン２０等に使用する際には、ズボン２０のバンド通し２１が、そのヒラヒラをある程度は押さえてくれる。しかし、ズボン２０のバンド通し２１の大きさは、ズボン２０をはく人の好みにより、種々の幅のバンドを使用することが予想されるので、多少大きめに作ってある。そのため、上側端部１Ａをバンド本体１にピッタリと沿わせて保持するという程の作用はしてくれない。
上側端部１Ａの先端付近が、丁度バンド通し２１のところに位置すれば、ヒラヒラを押さえる効果は一番あるわけであるが、その位置にあると先端が腕に触れてそのバンド通し２１から外れてしまう可能性が高く、大きなヒラヒラを招く可能性も高くなる。
【０００６】
次に第２の問題点について説明する。バックル２には大きく分けて２つのタイプがある。第１のタイプは、バックル２の金属棒をバンド本体１に開けた穴に係合するというタイプである。第２のタイプは、バックル２に挿通したバンド本体１をバックル２の部分で強く挟持するというタイプである。
第１のタイプのものでは、胴回りはそれほど変化しないから、係合する穴はいつも同じ穴になり、他の穴は殆ど使用されない。すると、いつも使用する穴は次第に大きくなると共に、度重なる係合により傷んで来る。バンド本体１も、いつもその穴の部分で折り曲げられるなど、その部分が酷使されるので、その部分の傷みが激しくなる。
第２のタイプのものでも、バックル２に強く挟持される部分はいつも決まった部分となり、そこが繰り返し挟持されるので、その部分の傷みが激しくなる。
従って、いずれのタイプのものでも、特定の一部分のみが酷使され、バンドの寿命が短くなってしまう。
本考案は、以上のような問題点を解決することを課題とするものである。
【課題を解決するための手段】
【０００７】
前記課題を解決するため、本考案のバンドでは、帯状のバンド本体の表側においては、バンドを締めた場合に下側となる端部の近傍に第１の面ファスナーが設けられ、他方の端部である上側端部には蛇の目部を具え蛇の頭を連想させるよう構成された蛇頭部が設けられ、いわば蛇印のバンドとされる。バンド本体の裏側においては、バンドを締めた場合に上側となる端部の近傍に前記第１の面ファスナーと係合する第２の面ファスナーが設けられる。更に、平坦な面がバンド外側を向くようバンド本体に被せられ、任意の位置に移動可能な滑りカバーが設けられる。
このように構成された蛇印のバンドを締める際には、該滑りカバーをズボンのバンド通しの直下に位置せしめた状態にしておいて、前記上側端部を該バンド通しを通過させ、前記第１の面ファスナーの上に前記第２の面ファスナーを押圧係合して締める。
【０００８】
また、上記の構成に加え、帯状のバンド本体の表側の部分であって、バンドを締めたときに身体の正面となる部分付近をはじめとする任意の部分に、更に第３の面ファスナーを設けた構成とし、裏面に該第３の面ファスナーと係合する面ファスナーが固着された時計や歩数計の実用品あるいは鶴や亀を象ったものを初めとする純粋なアクセサリー体を該第３の面ファスナーに着脱自在に取付可能としてもよい。
【考案の効果】
【０００９】
本考案の蛇印のバンドによれば、次のような効果を奏する。
１．バンドを締めたとき、バンド本体の上側端部がバンド本体の外側にピタリと沿った形で保持されるので、バンドの先端がヒラヒラして始末に困るということがない。
２．バックルを用いない構造としたので、バンド本体の特定の一部分のみが酷使されるということがなくなり、バンドの寿命が長くなる。
３．バンドに移動可能な滑りカバーが被せてあるので、それをズボンのバンド通しの直下に位置せしめることにより、バンドの先端（上側端部）をバンド通しに通したり抜いたりするのがスムーズに出来る。
４．バンドの上側端部を先が細くなる形状とすると共に、その外面に蛇の目を思わせる蛇の目部を具え蛇の頭を連想させるよう構成された蛇頭部が設けられているので、金運を招く蛇を連想させる構造となり、使用する者の心を豊にする。
【考案を実施するための最良の形態】
【００１０】
以下、本考案の実施形態を図面に基づいて詳細に説明する。
（第１の実施形態）
図１は、本考案のバンドの第１の実施形態を示す図である。符号は図４のものに対応し、４〜８は面ファスナー、３０は滑りカバー、３１は蛇の目部、３２は蛇頭部である。図１（１）は真っ直ぐに延ばしたバンドの外側面を示す図、図１（２）は内側面を示す図、図１（３）は丸くしたバンドの斜視図、図１（４）はバンドを締めた時の正面図、図１（５）は（１）の図のＸ−Ｘ線での断面を示す図である。
【００１１】
図１（１）に示すように、バンド本体１の外側面の上側端部１Ａは、恰も蛇の頭を連想させるような構造とする。即ち、端部に向かって少しテーパを付けると共に、端部付近を他の部分と区別した色にすることにより蛇の頭を連想する蛇頭部３２とし、その中に、２つの蛇の目部３１を設ける。
蛇頭部３２の形成の仕方としては、例えばバンド本体１の他の部分とは違った色を塗るとか、違った色の部材を貼り付ける等がある。また、蛇の目部３１も、赤色とか金色を塗るとか、そのような色のプラスチックやガラスの小片を貼り付けたりすることによって形成することが出来る。
【００１２】
バンド本体１の他方の端部である下側端部１Ｂには、図１（１）に示すように、面ファスナー５が固着され、それから少し離れたところから広い範囲にわたって面ファスナー４が固着される。そして、面ファスナー４には滑りカバー３０が被せられる。
図１（５）は滑りカバー３０が被せられた部分の断面を示している。滑りカバー３０は、バンド本体１の外側に位置する外面部は平坦な面となっており、その上部と下部はバンド本体１の背後に回るよう屈曲されている。なお、滑りカバー３０の材料としては、金属とかプラスチック等のように表面が滑らかで滑り易い材料を使用する。
滑りカバー３０は、バンド本体１のどちらかの端部を、滑りカバー３０の中に差し入れるということにより被せられ、面ファスナー４上の適宜の位置へと移動される。
【００１３】
一方、バンド本体１の内側面の上側端部１Ａには、図１（２）に示すように、面ファスナー６が固着され、それから少し離れたところから広い範囲にわたって面ファスナー７が固着される。なお、面ファスナー６，７は、面ファスナー４，５に対して係合するタイプの面ファスナーとする。更に、内側面のほぼ中央には、幅狭く面ファスナー８が固着される。
【００１４】
本考案のバンドを使用する際には、図１（３）のように外側面が外になるようにして丸くし、上側端部１Ａの内側面の面ファスナー６を、下側端部１Ｂの外側面の面ファスナー４または５に押圧係合させる。この時、上側端部１Ａの内側面の面ファスナー７も、自ずと面ファスナー４または５に押圧係合させられる。このように押圧係合したバンドを正面から見ると、図１（４）に示すが如き状態になる。
面ファスナー６を、上側端部１Ａの先端まで施しておけば、係合した際、その先端までピッタリと面ファスナー４に係合するので、従来のバンドのように、上側端部１Ａがヒラヒラするようなことは、決して起こらない。
また、上側端部１Ａの外面は、蛇の目部３１や蛇頭部３２の存在により、あたかも蛇頭を連想するものとなっている。
【００１５】
図５は、第１の実施形態のバンドをズボンに使用した状況を示す図である。符号は図４，図１のものに対応し、２１Ｌはバンド通し、３３は滑りカバーである。
通常、ズボン２０を履いたり脱いだりする際に、バンド本体１の上側端部１Ａを通したり抜いたりするバンド通しは、左側の１番目のもの、つまり図中のバンド通し２１Ｌである。図５（１）は、このバンド通し２１Ｌに何も付けない場合を示す図であり、図５（２）は、バンド通し２１Ｌにも滑りカバー３３を付けた場合を示す図である。
【００１６】
まず、図５（１）の場合について説明する。滑りカバー３０はバンド本体１上をずらして任意の位置へ移動可能であるが、バンド通し２１Ｌの直下の位置に移動しておく。そうすると、上側端部１Ａをバンド通し２１Ｌの下を通って抜き差しする際、スムーズに通すことが出来る。
その理由は次の通りである。上側端部１Ａの裏面には面ファスナーが貼り付けてあるが（図１（２）参照）、それをバンド通し２１Ｌとズボン２０との隙間を通過させる際、バンド本体１の外面に貼り付けてある面ファスナー４とどうしても接触してしまう。接触するとお互い面ファスナー同士であるから引っ掛かってしまい、抜き差しがスムーズに行えない。しかし本考案では、バンド通し２１Ｌの所の面ファスナー４に滑りカバー３０が被せてあるので、面ファスナー同士がひっかかることがなくなる。滑りカバー３０に接触しても、その外面は滑らかであるから、抜き差しはスムーズに行われる。
【００１７】
次に、図５（２）の場合について説明する。こちらの例では、ズボン２０のバンド通し２１Ｌの方にも、滑らかな表面を内側（ズボンとの間の隙間側）に向けて滑りカバー３３が被せてある。このようにすると、バンド通し２１Ｌとズボンとの隙間においては、隙間の両側が滑らかな表面となるので、バンドの抜き差しは一層滑らかに行うことが出来るようになる。
【００１８】
以上の説明から理解されるように、本考案のバンドは、下側端部１Ｂの外側面の面ファスナー４，５（第１の面ファスナー）と、上側端部１Ａの内側面の面ファスナー６，７（第２の面ファスナー）とを係合させて、バンドとしての締結作用を行うようにしたものである。従って、図示した例では面ファスナー４，５を分離独立したものとしているが、それは面ファスナーの使用量を減らしてコストを安くしようとしたためであり、両者を連続したものとしてもよい。面ファスナー６，７についても同様である。
【００１９】
更に、バンド本体１に滑りカバー３０を被せ、ズボンに使用する時、それをバンド通しの直下に位置せしめることにより、バンド通しでのバンド先端の抜き差しをスムーズに行えるようにしている。
また、外から見えるバンド端部を、金運を招く蛇の頭を連想する構造としたので、使用している人の心を豊にする効果も奏する。
【００２０】
ところで、従来のバンドにはバックルが付いているが、バックルはズボンのバンド通しを通す必要があるものとは考えられておらず（バンド通しを通すのはバンド本体のみと考えられていた）、バンド通しを通るような大きさとなるよう注意して作られてはいない。その結果、バックルはズボンのバンド通しに通すことが出来ない大きさとなっているのが通常である。
そのため、従来のバンドをズボンに装着する際には、バックル２が付いていない方の端部である上側端部１Ａを先頭にして、ズボンの正面の左側にある第１のバンド通しから、順々に通して行っていた。
【００２１】
これに対し本考案のバンドでは、そもそもバックルが存在しないので、ズボンに装着する際、どのバンド通しから通し始めてもよい。従来のように、ズボン正面左側の第１のバンド通しから始めてもよいし、ズボン背部のバンド通しから始めてもよい。
本考案で内側面のほぼ中央に固着した面ファスナー８は、ズボンをはいた状態で、背部から両側方に向かって各端部をバンド通しに挿通する場合の便のために、目印用として設けられたものである。面ファスナー８があれば、身体の後ろに回した手で触るだけでバンドの中央付近を知ることが出来る。そこから左半分，右半分に分け、それぞれ左側，右側のバンド通しに通して行くことが出来る。
【００２２】
（第２の実施形態）
図２は、本考案のバンドの第２の実施形態を示す図である。符号は図１のものに対応し、９は面ファスナーである。
第１の実施形態のバンドと比べて構成上相違する点は、バンドの外側面の任意の部分にアクセサリー等取付用の面ファスナー９を新たに取付けた点である。図２では、バンドを締めた時に身体の正面となる部分付近に面ファスナー９を取付けた例を示している。身体の正面になる部分は、図２（１）に示すように、バンドの外側面において上側端部１Ａに形成した蛇頭部３２から、少し中央方向へ離れた部分である。その付近に面ファスナー９を設ける。バンドを締めた状態では、図２（４）に示すようになる。
【００２３】
バンドの外側面の適宜箇所に面ファスナー９を取付けておき、ここへ面ファスナー９と係合するタイプの面ファスナーを裏面に取付けたアクセサリー体等を取り付ける。アクセサリー体等は着脱自在に取り付けることが可能であるから、時に応じていろいろなアクセサリー体等を取り付けて楽しむことが出来る。
図３は、本考案のバンドに取り付けるアクセサリー体等を説明する図である。符号は図２のものに対応し、１０は時計、１１は時計本体、１２，１３は時計バンド、１４，１５，１６は面ファスナー、１７はアクセサリー体、１８は面ファスナーである。
【００２４】
図３（１）〜（３）は、時計１０を面ファスナー９に取り付ける場合を示している。時計１０は、実用性を帯びているものであるから、純粋なアクセサリー体ということにはならない。しかし、ファッション性の方を重視して取り付けようとする人にとっては、アクセサリー体と見ることも出来る。
図３（１）は時計１０の表側であり、図３（２）は裏側である。図３（３）は、時計１０をバンド本体１の面ファスナー９に取付けた状態を示している。時計バンド１２，１３の裏面には、それぞれ面ファスナー１５，１６を固着しておく。
時計１０の裏面を面ファスナー９に押圧すれば、面ファスナー１５，１６が面ファスナー９に係合されて、図３（３）に示すように時計１０が着脱自在に取付けられる。
この場合、面ファスナー１５，１６の面積は、時計１０の重量等を考慮して決定することが出来る（重量大なほど面積を大にする）。
【００２５】
次に面ファスナー１４の役割について説明する。時計をバンドから外して従来通り腕に巻くことも可能なようにする場合、締結手段としての金具は当然必要である。しかし、金具を残しておいたのでは、時計１０をバンド本体１に取付けた場合にその金具がブラブラして邪魔になるから嫌だということであれば、金具を除去してしまってもよい。その場合、時計バンドの締結を面ファスナーによって行うのが好適である。
図３では、金具を除去した場合を示している。即ち、締結手段としての金具を除去し、金具が付いていた側（時計バンド１３側）の端部の表側に、上記面ファスナー１５と係合するタイプの面ファスナー１４を固着する。そして、腕に巻いて使用する場合には、反対側の時計バンド１２の裏面の面ファスナー１５をその上に押圧係合して締結を行う。
なお、面ファスナー９に取り付ける物であって、純粋なアクセサリー体でない物（実用性も有する物）としては、時計以外にもいろいろ考えられる。例えば歩数計も取り付けることが出来る。
【００２６】
図３（４）〜（６）は、純粋なアクセサリー体１７を面ファスナー９に取り付ける場合を示している。適宜な形状に作られたアクセサリー体１７の裏面に、図３（５）のように面ファスナー１８が固着される。裏面全体に面ファスナーを施すか一部だけに施すかは、アクセサリー体１７の重量，大きさ等により決定される。要するに、アクセサリー体１７をバンド本体１上に支持するに充分な力が得られればよい。
図３（６）は、アクセサリー体１７を、面ファスナー９の任意の位置に取付けた状態を示している。面ファスナーでの取付けであるから、着脱自在であり、好みに応じてアクセサリー体１７を交換してファッションを楽しむことが出来る。
純粋なアクセサリー体１７の例としては、昔から縁起の良いとされている鶴や亀を象ったもの、あるいはトランプのマークとして知られているハート，ダイヤ，スペード，三葉等々がある。
【図面の簡単な説明】
【００２７】
【図１】本考案のバンドの第１の実施形態を示す図
【図２】本考案のバンドの第２の実施形態を示す図
【図３】本考案のバンドに取り付けるアクセサリー体を説明する図
【図４】従来のバンドを示す図
【図５】第１の実施形態のバンドをズボンに使用した状況を示す図
【符号の説明】
【００２８】
１…バンド本体、１Ａ…上側端部、１Ｂ…下側端部、２…バックル、３…バンド端部保持輪、４〜９…面ファスナー、１０…時計、１１…時計本体、１２，１３…時計バンド、１４，１５，１６…面ファスナー、１７…アクセサリー体、１８…面ファスナー、２０…ズボン、２１…バンド通し、３０…滑りカバー、３１…蛇の目部、３２…蛇頭部、３３…滑りカバー
【図１】
0003138857.tif 000003
【図２】
0003138857.tif 000004
【図３】
0003138857.tif 000005
【図４】
0003138857.tif 000006
【図５】
0003138857.tif 000007